(57)【特許請求の範囲】
【請求項１】
複数のタグに印字する印字情報を含むコマンドを受信した場合に、前記複数のタグを搬送する搬送部と、
前記複数のタグのうち所定の印字位置に搬送された印字対象の前記タグに対して前記印字情報を印字する印字部と、
前記印字対象のタグに対して前記印字情報の印字が行われている間に、前記印字部により前記タグに対して前記印字情報を印字する印字位置の入力を受け付ける受付部と、
前記印字位置の入力を受け付けた場合、前記印字対象のタグの次に印字対象となる前記タグへの印字に先立って、入力を受け付けた前記印字位置が表示された画面を表示する表示部と、
前記受付部により入力を受け付けた前記印字位置によって前記所定の印字位置を補正して、前記複数のタグのうち前記印字対象のタグの後に印字する前記タグに対して、補正した前記所定の印字位置において印字を行わせる補正部と、
を備えた印字装置。
【請求項２】
前記所定の印字位置を記憶する記憶部を備え、
前記印字部は、前記記憶部に記憶された前記所定の印字位置に搬送された前記タグに対して、前記印字情報を印字し、
前記補正部は、前記受付部により入力を受け付けた前記印字位置によって前記記憶部に記憶された前記所定の印字位置を補正する請求項１に記載の印字装置。
【請求項３】
前記受付部は、前記所定の印字位置を基準にして、前記タグの搬送方向または当該搬送方向と反対の方向に移動させた前記印字位置の入力を受け付ける請求項１または２に記載の印字装置。
【請求項４】
複数のタグに印字する印字情報を含むコマンドを受信した場合に、前記複数のタグを搬送する搬送部と、前記複数のタグのうち所定の印字位置に搬送された印字対象の前記タグに対して前記印字情報を印字する印字部と、を備えた印字装置を制御するコンピュータを、
前記印字対象のタグに対して前記印字情報の印字が行われている間に、前記印字部により前記タグに対して前記印字情報を印字する印字位置の入力を受け付ける受付部と、
前記印字位置の入力を受け付けた場合、前記印字対象のタグの次に印字対象となる前記タグへの印字に先立って、入力を受け付けた前記印字位置が表示された画面を表示部に表示させる制御部と、
前記受付部により入力を受け付けた前記印字位置によって前記所定の印字位置を補正して、前記複数のタグのうち前記印字対象のタグの後に印字する前記タグに対して、補正した前記所定の印字位置において印字を行わせる補正部と、
として機能させるためのプログラム。
【請求項５】
前記印字装置は、前記所定の印字位置を記憶する記憶部を備え、
前記印字部は、前記記憶部に記憶された前記所定の印字位置に搬送された前記タグに対して、前記印字情報を印字し、
前記補正部は、前記受付部により入力を受け付けた前記印字位置によって前記記憶部に記憶された前記所定の印字位置を補正する請求項４に記載のプログラム。
【請求項６】
前記受付部は、前記所定の印字位置を基準にして、前記タグの搬送方向または当該搬送方向と反対の方向に移動させた前記印字位置の入力を受け付ける請求項４または５に記載のプログラム。
【発明の詳細な説明】
【技術分野】
【０００１】
本発明の実施形態は、印字装置およびプログラムに関する。
【背景技術】
【０００２】
従来、搬送中のＲＦＩＤ（Radio  Frequency  Identification）タグの印字面に対してバーコードやテキスト等の情報を印字するバーコードプリンタにおいて、ＲＦＩＤタグに対して情報の印字を行う印字位置を設定する場合、ＲＦＩＤタグに対する情報の印字が行われていないオフラインモード（システムモード）において設定していた。
【発明の概要】
【発明が解決しようとする課題】
【０００３】
しかしながら、オフラインモードにおいて印字位置を設定する方法では、バーコードプリンタによって１０００枚などの大量のＲＦＩＤタグに対する情報の印字が行われている間（つまり、オンラインモードの間）に印字位置がずれてしまった場合、ＲＦＩＤタグへの情報の印字が終了してオフラインモードになるまで印字位置を補正することができないため、ＲＦＩＤタグに対して想定した印字位置において情報の印字を行うことができず、ＲＦＩＤタグを無駄にしてしまうというリスクがある。
【課題を解決するための手段】
【０００４】
実施形態の印字装置は、搬送部と、印字部と、受付部と、表示部と、補正部と、を備える。搬送部は、複数のタグに印字する印字情報を含むコマンドを受信した場合に、複数のタグを搬送する。印字部は、複数のタグのうち所定の印字位置に搬送された印字対象のタグに対して印字情報を印字する。受付部は、印字対象のタグに対して印字情報の印字が行われている間に、印字部によりタグに対して印字情報を印字する印字位置の入力を受け付ける。表示部は、印字位置の入力を受け付けた場合、印字対象のタグの次に印字対象となるタグへの印字に先立って、入力された印字位置が表示された画面を表示する。補正部は、前記受付部により入力を受け付けた印字位置によって所定の印字位置を補正して、前記複数のタグのうち前記印字対象のタグの後に印字する前記タグに対して、補正した前記所定の印字位置において印字を行わせる。
【図面の簡単な説明】
【０００５】
【図１】図１は、一般的なＲＦＩＤタグの要部構成を示す図である。
【図２】図２は、本実施形態にかかるＲＦＩＤプリンタの要部構成を示すブロック図である。
【図３】図３は、本実施形態にかかるＲＦＩＤプリンタが備える操作パネルの概略を示す図である。
【図４】図４は、設定情報のデータ構成を示す図である。
【図５】図５は、本実施形態にかかるＲＦＩＤプリンタの動作フローチャートである。
【発明を実施するための形態】
【０００６】
以下に添付図面を参照して、本実施形態にかかるＲＦＩＤバーコードプリンタ（以下、ＲＦＩＤプリンタとする）について詳細に説明する。本実施形態にかかるＲＦＩＤプリンタは、種々の情報を印字する印字機能、および無線通信によりＲＦＩＤタグへの情報の書き込みおよび読み込みを行う無線通信機能を備えたものである。なお、本実施形態では、印字機能に加えて、無線通信機能を備えたＲＦＩＤプリンタについて説明するが、これに限定するものではなく、少なくとも印字機能を備えた印字装置であれば良い。
【０００７】
ここで、ＲＦＩＤ（Radio  Frequency  Identification）タグとは、ＩＤ情報等の物体を識別する情報が記憶されたタグ（微小な無線ＩＣチップ）から、電磁界や電波などを用いた近距離（周波数帯によって数ｃｍ〜数ｍ）の無線通信で情報をやりとりすることによって、物体の識別等に利用されるものである。
【０００８】
図１は、一般的なＲＦＩＤタグの要部構成を示す図である。図１に示すように、ＲＦＩＤタグ１００は、アンテナ１０１とＩＣチップ１０２とを備えている。ＩＣチップ１０２は、アンテナ１０１で受信した変調波の整流と安定化を行うことによりＩＣチップ１０２の各部に電源を供給する電源生成部１０３、上記変調波を復調して制御部１０５へ送出する復調部１０４、制御部１０５から送出されたデータを変調してアンテナ１０１に送出する変調部１０６、復調部１０４で復調されたデータをメモリ部１０７に書き込んだり、メモリ部１０７からデータを読み出して変調部１０６へ送出したりする制御部１０５、およびＥＥＰＲＯＭ（Electrically  Erasable  Programmable  Read  Only  Memory）等の不揮発性の書き換え可能なメモリ部１０７等を備えている。メモリ部１０７には、当該ＲＦＩＤタグ１００の製造段階で製造業者により割当て設定された固有の識別情報であるＩＤが予め記憶されている。また、メモリ部１０７には、ユーザが任意のデータを書込むことができるユーザ領域が確保されている。
【０００９】
次に、本実施形態にかかるＲＦＩＤプリンタの要部構成について、図２および図３を用いて説明する。図２は、本実施形態にかかるＲＦＩＤプリンタの要部構成を示すブロック図である。図３は、本実施形態にかかるＲＦＩＤプリンタが備える操作パネルの概略を示す図である。
【００１０】
ＲＦＩＤプリンタ２００（印字装置）は、図２に示すように、ＲＦＩＤリーダライタ２０１、アンテナ２０２、操作パネル２０３、通信インターフェイス（Ｉ／Ｆ）２０４、印字ヘッド２０５、ヘッド駆動部２０６、搬送系駆動部２０７、記憶部２０８、ホストインターフェイス（Ｉ／Ｆ）２０９、各種センサ２１０、および制御部２１１等を備えている。
【００１１】
搬送系駆動部２０７は、ＲＦＩＤタグ１００を印字ヘッド２０５による印字領域内に順次搬送する搬送機構である。本実施形態では、搬送系駆動部２０７は、対向配置された印字ヘッド２０５とでＲＦＩＤタグ１００を挟持してＲＦＩＤタグ１００を搬送するプラテンローラと、制御部２１１から入力されるパルス信号に従って予め設定されたステップ単位で回転することにより当該プラテンローラを駆動するステッピングモータと、を備える。
【００１２】
各種センサ２１０は、光センサ等であるタグセンサ２１２を含む。タグセンサ２１２は、後述する印字ヘッド２０５近傍に設けられ、搬送駆動部２０７により搬送されるＲＦＩＤタグ１００の搬送方向上流側の端部を検知するものである。
【００１３】
アンテナ２０２は、ＲＦＩＤリーダライタ２０１から供給される変調波を発信し、この変調波を受信したＲＦＩＤタグ１００から発信される変調波を受信するものである。
【００１４】
ＲＦＩＤリーダライタ２０１は、搬送系駆動部２０７により搬送されたＲＦＩＤタグ１００に対して、アンテナ２０２から変調波を発信して、発信した変調波が到達し得る交信領域内に存在するＲＦＩＤタグ１００のメモリ部１０７に対する無線通信による情報の書き込み、および当該メモリ部１０７からの無線通信による情報の読み取りを行う。
【００１５】
印字ヘッド２０５は、ＲＦＩＤタグ１００の搬送方向において、アンテナ２０２よりも下流側に設けられ、ヘッド駆動部２０６により駆動されてＲＦＩＤタグ１００の印字面に種々の情報（バーコードやテキスト等）を印字するものである。この印字ヘッド２０５としては、例えばサーマルヘッドが用いられる。ヘッド駆動部２０６は、搬送系駆動部２０７により所定の印字位置４０４（図４参照）に搬送されたＲＦＩＤタグ１００の印字面に対して、所定の印字濃度４０５（図４参照）で情報の印字を行うものとする。つまり、本実施形態では、印字ヘッド２０５およびヘッド駆動部２０６が印字部として機能する。
【００１６】
ここで、所定の印字位置４０４は、印字ヘッド２０５によりＲＦＩＤタグ１００の印字面に情報の印字を行う位置である。本実施形態では、所定の印字位置４０４は、設定情報４００（図４参照）に含まれ、タグセンサ２１２によりＲＦＩＤタグ１００の搬送方向下流側の端部が検知されてから、搬送系駆動部２０７のステッピングモータに入力されるパルス信号の数によって表される。
【００１７】
例えば、所定の印字位置４０４が「３」である場合、ヘッド駆動部２０６は、タグセンサ２１２によりＲＦＩＤタグ１００の搬送方向下流側の端部が検知されてから、３つめのパルス信号が搬送系駆動部２０７のステッピングモータに入力された際に、ＲＦＩＤタグ１００の印字面に対する情報の印字を行う。
【００１８】
また、所定の印字濃度４０５は、印字ヘッド２０５によりＲＦＩＤタグ１００の印字面に情報の印字を行う際の濃度である。本実施形態では、所定の印字濃度４０５は、設定情報４００（図４参照）に含まれ、「−３０」〜「＋３０」の値により表され、印字濃度の値が高い程、ＲＦＩＤタグ１００の印字面に対して印字を行う際の濃度が濃くなる。
【００１９】
例えば、所定の印字濃度４０５が「２０」で表されている場合、ヘッド駆動部２０６は、所定の印字濃度４０５を表す「−３０」〜「＋３０」までの値と印字ヘッド２０５によりＲＦＩＤタグ１００の印字面を加熱する加熱時間とを対応付けて記憶する印字濃度ファイル（図示しない）において、当該所定の印字濃度４０５を表す「２０」と対応付けられた加熱時間を読み出す。そして、ヘッド駆動部２０６は、読み出した加熱時間、印字ヘッド２０５によりＲＦＩＤタグ１００を加熱することにより当該ＲＦＩＤタグ１００の印字面に対する情報の印字を行う。なお、印字濃度ファイルにおいて所定の印字濃度４０５を表す「−３０」〜「＋３０」までの値と対応付けられた加熱時間は、所定の印字濃度４０５を表す値が大きくなるに従い長くなるものとする。
【００２０】
なお、本実施形態では、印字ヘッド２０５およびヘッド駆動部２０６は、無線通信により情報のやりとりが可能なＲＦＩＤタグ１００の印字面に対して情報の印字を行う例について説明したが、これに限定するものではない。例えば、印字ヘッド２０５およびヘッド駆動部２０６は、無線通信により情報のやりとりを行えないタグに対しても、同様にして当該タグの印字面に対して情報の印字を行うことができるものとする。
【００２１】
操作パネル２０３には、操作用の各種キーや各種表示部等が設けられている。本実施形態では、操作パネル２０３は、表示部３０１、モード表示部３０２、エラー表示部３０３、フィードボタン３０４、リスタートボタン３０５、ポーズボタン３０６、モード切替ボタン３０７、キャンセルボタン３０８、カーソルキー３０９、エンターキー３１０等を備えている。
【００２２】
表示部３０１は、ＬＣＤ（Liquid  Crystal  Display）など、印字ヘッド２０５によりＲＦＩＤタグ１００の印字面に対する情報の印字を行う印字位置を入力するための位置入力画面や、印字ヘッド２０５によりＲＦＩＤタグ１００の印字面に対して印字を行う際の印字濃度等を入力するための濃度入力画面等を表示する。
【００２３】
モード表示部３０２は、ＬＥＤ（Light  Emitting  Diode）など、ＲＦＩＤプリンタ２００がオンラインモードの間に点灯してオンラインモードであることを報知する。また、モード表示部３０２は、ＲＦＩＤプリンタ２００がオフラインモードの間に消灯してオフラインモードであることを報知する。ここで、オンラインモードとは、印字ヘッド２０５によりＲＦＩＤタグ１００の印字面に対する情報の印字が行われているモードである。また、オフラインモードとは、印字ヘッド２０５によりＲＦＩＤタグ１００の印字面に対する情報の印字が行われていないモードである。
【００２４】
エラー表示部３０３は、ＬＥＤなど、ＲＦＩＤプリンタ２００におけるエラー（例えば、ＲＦＩＤタグ１００に対する情報の書き込み失敗等）が発生した際に点灯してエラーの発生を報知する。
【００２５】
フィードボタン３０４は、ＲＦＩＤプリンタ２００がオフラインモードの間にＲＦＩＤタグ１００を移動させるためのボタンである。リスタートボタン３０５は、ＲＦＩＤタグ１００の印字面に対する情報の印字を再開させるためのボタンである。ポーズボタン３０６は、ＲＦＩＤタグ１００の印字面に対する情報の印字を一時停止させるためのボタンである。
【００２６】
モード切替ボタン３０７は、印字ヘッド２０５によりＲＦＩＤタグ１００の印字面に対して情報の印字を行う印字位置を入力するための位置入力モードや、印字ヘッド２０５によりＲＦＩＤタグ１００の印字面に対して印字を行う際の印字濃度を入力するための濃度入力モード等に切り替えるためのボタンである。なお、上述した表示部３０１は、モード切替ボタン３０７による位置入力モードまたは濃度入力モードへの切り替えに応じて、位置入力画面または濃度入力画面を表示する。
【００２７】
キャンセルボタン３０８は、ＲＦＩＤタグ１００の印字面に対する情報の印字等の中止させるためのボタンである。カーソルキー３０９は、ＲＦＩＤタグ１００の印字面に対して情報の印字を行う印字位置や、ＲＦＩＤタグ１００の印字面に対して印字を行う際の印字濃度等を入力するためのキーである。エンターキー３１０は、ＲＦＩＤタグ１００の印字面に対する情報の印字開始等を指示するためのキーである。
【００２８】
図２に戻り、通信インターフェイス２０４には、各種外部装置が接続可能である。
【００２９】
記憶部２０８には、ＲＦＩＤプリンタ２００の制御プログラムやその他各種プログラム、ＲＦＩＤタグ１００に書き込む書込データ（各種情報等）、およびＲＦＩＤタグ１００に印字する印字データ（印字する文字データやバーコードデータ等）、設定情報等が記憶されている。ここで、書込データは、ＲＦＩＤタグ１００のメモリ部１０７に書き込むべき情報である。印字データは、ＲＦＩＤタグ１００の印字面に印字するべき情報である。
【００３０】
設定情報には、ＲＦＩＤプリンタ２００に対し設定される各種パラメータであり、ＲＦＩＤタグ１００の印字面に対する印字に関わる諸設定が含まれている。図４は、設定情報のデータ構成を示す図である。図４に示すように、設定情報４００には、ＲＦＩＤタグ１００に対する印字に関する設定として、文字バイト数（２バイトまたは１バイト）４０１、印字速度（１秒間に印字するライン数の指定）４０２、２バイト文字区分（ＪＩＳコードやＧＢコード,ＫＳコード等を指定）４０３、所定の印字位置４０４、および所定の印字濃度４０５等が含まれている。
【００３１】
また、所定の印字位置４０４は、上述したように、ＲＦＩＤタグ１００の印字面に対して情報の印字を行う位置である。本実施形態では、所定の印字位置４０４は、タグセンサ２１２によりＲＦＩＤタグ１００の搬送方向上流側の端部が検知されてから、搬送系駆動部２０７のステッピングモータに入力されるパルス信号の数により表される。
【００３２】
所定の印字濃度４０５は、上述したように、ＲＦＩＤタグ１００の印字面に対して印字を行う際の濃度である。本実施形態では、所定の印字濃度４０５は、「−３０」〜「＋３０」の値により表され、印字濃度の値が高い程、ＲＦＩＤタグ１００の印字面に対して印字を行う際の濃度が濃くなる。
【００３３】
図２に戻り、ホストインターフェイス２０９は、図示しないホスト装置とのインターフェイスであり、このホストインターフェイス２０９を介して、ＲＦＩＤタグ１００から読み取ったユニークＩＤやユーザエリア内のデータを、ホスト装置へ送信することなどが可能である。
【００３４】
制御部２１１は、ＲＦＩＤリーダライタ２０１、操作パネル２０３、通信インターフェイス２０４、ヘッド駆動部２０６、搬送系駆動部２０７、記憶部２０８、ホストインターフェイス２０９、および各種センサ２１０を統括的に制御するためのものであり、例えば、マイクロプロセッサを用いて、記憶部２０８に記憶された制御プログラムをこのマイクロプロセッサに実行させることにより実現することができる。
【００３５】
次に、このように構成されるＲＦＩＤプリンタ２００の動作について、図５を用いて説明する。図５は、本実施形態にかかるＲＦＩＤプリンタの動作フローチャートである。
【００３６】
ＲＦＩＤプリンタ２００の電源がオンされた後、制御部２１１は、ホストインターフェイス２０９を介して、図示しないホスト装置から、ＲＦＩＤタグ１００に書き込む書込データ（例えば、１０００枚のＲＦＩＤタグ１００に書き込む情報）やＲＦＩＤタグ１００に印字する印字データ（例えば、１０００枚のＲＦＩＤタグ１００に印字する情報）を含むコマンドを受信する（ステップＳ５０１）。制御部２１１は、受信したコマンドを解析して（ステップＳ５０２）、当該受信したコマンドに含まれる書込データおよび印字データを記憶部２０８に描画する（ステップＳ５０３）。
【００３７】
次いで、制御部２１１は、搬送系駆動部２０７のステッピングモータへのパルス信号の入力を開始してＲＦＩＤタグ１００の搬送を開始する。さらに、制御部２１１は、記憶部２０８に描画した書込データをＲＦＩＤリーダライタ２０１に入力するとともに、記憶部２０８に描画した印字データをヘッド駆動部２０６に入力して、ＲＦＩＤタグ１００の発行を指示する。
【００３８】
ＲＦＩＤリーダライタ２０１は、ＲＦＩＤタグ１００の発行が指示され、ＲＦＩＤタグ１００がアンテナ２０２の交信領域内に搬送されてくると、アンテナ２０２から変調波を発信して、ＲＦＩＤタグ１００に対して無線通信による書込データの書き込みを行う。
【００３９】
ヘッド駆動部２０６は、記憶部２０８から、設定情報４００に含まれる所定の印字位置４０４および所定の印字濃度４０５を読み出す。そして、ヘッド駆動部２０６は、書込データの書き込みが行われたＲＦＩＤタグ１００が、記憶部２０８から読み出した所定の印字位置４０４に搬送されてくると、印字ヘッド２０５を制御して、記憶部２０８から読み出した所定の印字濃度４０５で、ＲＦＩＤタグ１００の印字面に対する印字データの印字を行う。これにより、印字ヘッド２０５およびヘッド駆動部２０６は、ＲＦＩＤタグ１００を発行する（ステップＳ５０４）。
【００４０】
次いで、制御部２１１は、搬送系駆動部２０７により搬送されるＲＦＩＤタグ１００の印字面に対する印字データの印字が行われているか否か（つまり、オンラインモードであるか否か）を判断する（ステップＳ５０５）。オンラインモードでないと判断した場合（ステップＳ５０５：Ｎｏ）、つまり、全てのＲＦＩＤタグ１００の印字面に対する印字データの印字が行われた場合、制御部２１１は、ＲＦＩＤリーダライタ２０１に対する書込データの入力を停止するとともに、ヘッド駆動部２０６に対する印字データの入力を停止して、ＲＦＩＤタグ１００の発行を終了する。
【００４１】
一方、オンラインモードであると判断した場合（ステップＳ５０５：Ｙｅｓ）、制御部２１１は、１つのＲＦＩＤタグ１００が発行される毎に、印ＲＦＩＤタグ１００の印字面に対して印字データの印字を行う印字位置の入力が行われたか否かを判断する（ステップＳ５０６）。なお、印字位置の入力が行わなかった場合（ステップＳ５０６：Ｎｏ）、制御部２１１は、後述するステップＳ５０９に進む。
【００４２】
本実施形態では、ＲＦＩＤプリンタ２００のオペレータは、モード切替ボタン３０７を押下してＲＦＩＤプリンタ２００を位置入力モードに切り替えた後、カーソルキー３０９を押下することにより、ＲＦＩＤタグ１００の印字面に対して印字データの印字を行う印字位置の入力を行うものとする。なお、ＲＦＩＤプリンタ２００が位置入力モードに切り替えられた場合、表示部３０１は、入力された印字位置が表示された位置入力画面を表示するものとする。これにより、オペレータは、表示部３０１に表示された印字位置を確認しながら、印字位置の入力を行うことができる。
【００４３】
ＲＦＩＤタグ１００の印字面に対して印字データの印字を行う印字位置が入力されたと判断した場合（ステップＳ５０６：Ｙｅｓ）、制御部２１１は、キー割り込みを発生させ、カーソルキー３０９による印字位置の入力を受け付ける（ステップＳ５０７）。
【００４４】
本実施形態では、カーソルキー３０９が一回押下されると、制御部２１１は、記憶部２０８に記憶された設定情報４００に含まれる所定の印字位置４０４を基準にして、搬送系駆動部２０７のステッピングモータに入力する１つのパルス信号分、ＲＦＩＤタグ１００の搬送方向または当該搬送方向と反対の方向に移動させた印字位置の入力を受け付ける。
【００４５】
例えば、操作パネル２０３が有するカーソルキー３０９のうち、左方向を示すカーソルキー３０９が押下された場合、制御部２１１は、所定の印字位置４０４を基準にして、搬送系駆動部２０７のステッピングモータに入力する１つのパルス信号分進めた位置を、印字位置として入力を受け付ける。一方、操作パネル２０３が有するカーソルキー３０９のうち、右方向を示すカーソルキー３０９が押下された場合、制御部２１１は、所定の印字位置４０４を基準にして、搬送系駆動部２０７のステッピングモータに入力する１つのパルス信号分遅らせた位置を、印字位置として入力を受け付ける。
【００４６】
印字位置の入力を受け付けると、制御部２１１は、入力を受け付けた印字位置によって、記憶部２０８に記憶された設定情報４００に含まれる所定の印字位置４０４を補正する（ステップＳ５０８）。
【００４７】
所定の印字位置４０４を補正した後（ステップＳ５０８）若しくは印字位置の入力が行われなかった場合（ステップＳ５０６：Ｎｏ）、制御部２１１は、ＲＦＩＤタグ１００の印字面に対して印字データの印字を行う際の印字濃度の入力が行われたか否かを判断する（ステップＳ５０９）。なお、印字濃度の入力が行わなかった場合（ステップＳ５０９：Ｎｏ）、制御部２１１は、ステップＳ５０４に戻り、ＲＦＩＤタグ１００の発行を行う。
【００４８】
本実施形態では、ＲＦＩＤプリンタ２００のオペレータは、モード切替ボタン３０７を押下してＲＦＩＤプリンタ２００を濃度入力モードに切り替えた後、カーソルキー３０９を押下することにより、ＲＦＩＤタグ１００の印字面に対して印字データの印字を行う際の印字濃度の入力を行うものとする。なお、ＲＦＩＤプリンタ２００が濃度入力モードに切り替えられた場合、表示部３０１は、入力された印字濃度が表示された濃度入力画面を表示するものとする。これにより、オペレータは、表示部３０１に表示された印字濃度を確認しながら、印字濃度の入力を行うことができる。
【００４９】
ＲＦＩＤタグ１００の印字面に対して印字データの印字を行う際の印字濃度が入力されたと判断した場合（ステップＳ５０９：Ｙｅｓ）、制御部２１１は、キー割り込みを発生させ、カーソルキー３０９による印字濃度の入力を受け付ける（ステップＳ５１０）。
【００５０】
本実施形態では、カーソルキー３０９が一回押下されると、制御部２１１は、記憶部２０８に記憶された設定情報４００に含まれる所定の印字濃度４０５を基準にして、「−１」または「＋１」した印字濃度の入力を受け付ける。
【００５１】
例えば、操作パネル２０３が有するカーソルキー３０９のうち、上方向を示すカーソルキー３０９が押下された場合、制御部２１１は、所定の印字濃度４０５を基準にして、「＋１」した値を、印字濃度として入力を受け付ける。一方、操作パネル２０３が有するカーソルキー３０９のうち、下方向を示すカーソルキー３０９が押下された場合、制御部２１１は、所定の印字濃度４０５を基準にして、「−１」した値を、印字濃度として入力を受け付ける。
【００５２】
印字濃度の入力を受け付けると、制御部２１１は、入力を受け付けた印字濃度によって、記憶部２０８に記憶された設定情報４００に含まれる所定の印字濃度４０５を補正する（ステップＳ５１１）。なお、記憶部２０８に記憶された設定情報４００に含まれる所定の印字濃度４０５の補正後、制御部２１１は、ステップＳ５０４に戻り、ＲＦＩＤタグ１００の発行を行う。
【００５３】
このように本実施形態にかかるＲＦＩＤプリンタ２００によれば、情報を印字する複数のＲＦＩＤタグ１００を搬送する搬送系駆動部２０７と、搬送系駆動部２０７によって所定の印字位置４０４に搬送されたＲＦＩＤタグ１００に対して情報の印字を行う印字ヘッド２０５およびヘッド駆動部２０６と、搬送系駆動部２０７により搬送されるＲＦＩＤタグ１００に対する情報の印字が行われている間、印字ヘッド２０５およびヘッド駆動部２０６によりＲＦＩＤタグ１００に対して情報の印字を行う印字位置の入力を受け付け、入力を受け付けた印字位置によって所定の印字位置４０４を補正することにより、オンラインモードの間に、ＲＦＩＤタグ１００の印字面に対する情報の印字が想定した印字位置（つまり、印字ヘッド２０５が設けられた位置）において行われず、ＲＦＩＤタグ１００に対する情報の印字の失敗が発生した場合に、ＲＦＩＤプリンタ２００がオンラインモードである間にカーソルキー３０９を用いて所定の印字位置４０４を補正することができるので、ＲＦＩＤタグ１００の印字面に対する情報の印字の失敗が発生した場合に、ＲＦＩＤタグ１００を無駄にしてしまうリスクを軽減することができる。
【００５４】
なお、本実施形態のＲＦＩＤプリンタ２００で実行される制御プログラムは、ＲＯＭ等に予め組み込まれて提供されるが、これに限定するものではない。本実施形態のＲＦＩＤプリンタ２００で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５５】
さらに、本実施形態のＲＦＩＤプリンタ２００で実行される制御プログラムを、インターネット等のネットワークに接続されたコンピュータ上に格納し、ネットワーク経由でダウンロードさせることにより提供するように構成しても良い。また、本実施形態のＲＦＩＤプリンタ２００で実行される制御プログラムをインターネット等のネットワーク経由で提供または配布するように構成しても良い。
【００５６】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００５７】
１００  ＲＦＩＤタグ
２００  ＲＦＩＤプリンタ
２０１  ＲＦＩＤリーダライタ
２０２  アンテナ
２０３  操作パネル
２０５  印字ヘッド
２０６  ヘッド駆動部
２０７  搬送系駆動部
２０８  記憶部
２１０  各種センサ
２１１  制御部
２１２  タグセンサ
【先行技術文献】
【特許文献】
【００５８】
【特許文献１】特開平９−２０７３８８号公報
【特許文献２】特開２００６−２１２８９４号公報
【図１】
0005379198.tif 000002
【図２】
0005379198.tif 000003
【図３】
0005379198.tif 000004
【図４】
0005379198.tif 000005
【図５】
0005379198.tif 000006